(57)【要約】【課題】フック及び棚板を自由にかつ簡便に配置することが可能な組立式収納家具を提供することにある。【解決手段】  側板５には、全面に縦横の等間隔に貫通孔６が格子状に穿設されている。側板５を貫通する貫通孔６を穿けることにより、棚板４の個数や高さを自在に変更し配置することができる。予め穿けられている貫通孔６に螺子等の取付具７を挿通して底板２、天板３、棚板４を固定することにより、容易に棚板４の高さを変更することができる。側板５の取付具７を挿入した貫通孔６以外の貫通孔６を利用して、取付ピン８を有する収納かご９、多連フック１０、フック１１を側板５の外側或いは内側に取り付けることができる。【選択図】図１
2018110790.tif 000002
【特許請求の範囲】
【請求項１】
底板、天板を左右２枚の側板により挟持する組立式収納家具であって、
前記側板は全面に貫通孔が縦横に所定間隔をおいて穿設されていることを特徴とする組立式収納家具。
【請求項２】
前記貫通孔に取付具を挿通して、前記底板、前記天板を固定することを特徴とする請求項１に記載の組立式収納家具。
【請求項３】
前記貫通孔に前記取付具を挿通して、前記底板と前記天板の間に配置した棚板を固定することを特徴とする請求項２に記載の組立式収納家具。
【請求項４】
前記取付具を挿入した前記貫通孔以外の貫通孔を利用して、取付ピンを有するフック体を前記側板に取り付け可能としたことを特徴とする請求項２又は請求項３に記載の組立式収納家具。
【請求項５】
前記側板は外側の薄板材である外側板と、内側の薄板材である内側板と、前記外側板及び前記内側板に挟まれるように配置する枠部とから構成されており、前記外側板に前記貫通孔が穿設されていることを特徴とする請求項１〜４の何れかに記載の組立式収納家具。
【請求項６】
底板、天板を左右２枚の側板により挟持する複数個の第１の組立式収納家具を備える組立式収納家具システムであって、
前記組立式収納家具の前記側板は、全面に貫通孔が縦横に所定間隔をおいて穿設されていることを特徴とする組立式収納家具システム。
【請求項７】
前記第１の組立式収納家具の前記側板同士の前記貫通孔を固定具により固定することで連結可能としたことを特徴とする請求項６に記載の組立式収納家具システム。
【請求項８】
２つの前記第１の組立式収納家具の前記側板間に棚板を配置し、前記貫通孔に取付具を挿通して、前記棚板を固定することを特徴とする請求項７に記載の組立式収納家具システム。
【請求項９】
前記第１の組立式収納家具の前記側板間に大きさの異なる第２の組立式収納家具を配置し、前記第１の組立式収納家具の前記側板と、前記第２の組立式収納家具の側板の前記貫通孔を固定具により固定したことを特徴とする請求項８に記載の組立式収納家具システム。
【発明の詳細な説明】
【技術分野】
【０００１】
本発明は、小物や書籍等を収納するための組立式収納家具及び組立式収納家具システムに関するものである。
【背景技術】
【０００２】
従来から、小物や書籍等を収納するための組立式収納家具が広く知られている。そして、これらの収納家具の側壁面の先端部にねじ溝が刻設されているフックや、接着テープによるフック等を取り付けることにより、例えば鍵や小物折り畳み傘等を吊り下げることが可能となる。
【０００３】
フックの位置をずらしたい場合に、一度ねじ込んだフックを抜いた後に新たに別の個所にねじ込んだり、フックを貼り直す必要がある。その際に、ねじ込んだフック、接着テープにより取り付けたフックを収納家具の側壁面から取り外すと、螺子孔やテープを剥がした跡が残り見栄えが悪くなる。
【０００４】
また、等間隔でフックや吊下具を取り付けたり、同じ高さにフックを取り付ける場合には、高さや幅を計測し、予め正確に取付位置のマークを付ける必要があり、極めて面倒である。
【０００５】
そこで、特許文献１に示すように、縦横多数の小孔を等間隔に穿孔した有孔ボードを室内等の壁面に取り付け、有孔ボードの孔部にフック、腕木等を挿し込むことにより、小物を吊り下げたり、棚板を設けたりしている。
【先行技術文献】
【特許文献】
【０００６】
【特許文献１】実用新案登録第３２０５６１０号公報
【発明の概要】
【発明が解決しようとする課題】
【０００７】
上述の特許文献１に示す有孔ボードは、既存の壁や収納家具の壁面に後付けで取り付けるものである。
【０００８】
従って、既存の収納家具の側面に有孔ボードを取り付けるためには、取り付ける収納家具の側面の大きさに合わせて有孔ボードを切断することになり、切断作業が面倒である。また、十分な強度を有する収納家具の側板に、有孔ボードを設けることから、材料も無駄となり、重量も重くなるという問題もある。
【０００９】
また、一旦、既存の収納家具の側面に有孔ボードを取り付けてしまうと、収納家具の側面の外側から螺子等で固定する棚板に対して、棚の高さを変更することが難しいという問題も生ずる。
【００１０】
本発明の目的は、上述の課題を解消し、フック及び棚板を自由にかつ簡便に配置することが可能な組立式収納家具及び組立式収納家具システムを提供することにある。
【課題を解決するための手段】
【００１１】
上記目的を達成するための本発明に係る組立式収納家具は、底板、天板を左右２枚の側板により挟持する組立式収納家具であって、前記側板は全面に貫通孔が縦横に所定間隔をおいて穿設されていることを特徴とする収納家具を特徴とする。
【００１２】
また、本発明に係る組立式収納家具システムは、底板、天板を左右２枚の側板により挟持する複数個の第１の組立式収納家具を備える組立式収納家具システムであって、前記組立式収納家具の前記側板は、全面に貫通孔が縦横に所定間隔をおいて穿設されていることを特徴とする。
【発明の効果】
【００１３】
本発明に係る組立式収納家具及び組立式収納家具システムによれば、全面に縦横に所定間隔をおいて貫通孔が穿設された側板を有することで、外側にフック及び内側に棚板を自由にかつ簡便に配置することができる共に、容易に組み立て及び組立式収納家具１同士を自由に連結することが可能である。
【図面の簡単な説明】
【００１４】
【図１】収納家具の斜視図である。
【図２】部分拡大斜視図である。
【図３】収納家具を連結した状態の斜視図である。
【図４】収納家具間に棚板を配置して連結した状態の斜視図である。
【図５】別の形態の収納家具の斜視図である。
【発明を実施するための形態】
【００１５】
本発明を図示の実施例に基づいて詳細に説明する。
図１は組立式収納家具の斜視図、図２は部分拡大斜視図を示しており、組立式収納家具１は、底板２、天板３及び棚板４を左右２枚の側板５により挟持し、取付具７により固定している。なお、底板２と天板３の間に配置する棚板４は、設けなくてもよい。
【００１６】
本実施例１における組立式収納家具１は、高さ約９０ｃｍ程度、幅約４５ｃｍ程度、奥行３０ｃｍ程度であり、図示を省略しているが奥側に奥板が配置するような構造としてもよい。
【００１７】
底板２、天板３、棚板４、側板５の板厚は約２ｃｍ程度であり、木製合板、ＭＤＦ、合成樹脂材、又はそれらを組み合わせた板材を用いている。剛性を有する板材であれば、適宜の材料を用いることができる。
【００１８】
側板５は、全面に縦横に所定間隔をおいて貫通孔６が格子状に穿設されおり、これらの貫通孔６の直径は５ｍｍ程度であり、隣接する貫通孔６の間隔は、２ｃｍ程度である。貫通孔６は縦横に互いに所定間隔を設けていればよく、格子状以外に、千鳥状に配置するようにしてもよい。
【００１９】
このように側板５に縦横格子状に側板５を貫通する貫通孔６を穿けることにより、棚板４の個数や高さを自在に変更し配置することができる。予め穿けられている貫通孔６に螺子等の取付具７を挿通して底板２、天板３、棚板４を固定することにより、容易に棚板４の高さを変更することが可能である。また、棚板４の位置を変更しても前述の螺子孔、テープ跡が生ずることがないので、組立式収納家具１の外観を美的に保持することができる。
【００２０】
更に、側板５の取付具７を挿入した貫通孔６以外の貫通孔６を利用して、例えば取付ピン８を有する収納かご９、多連フック１０、フック１１を側板５の外側或いは内側に取り付けることができる。なお、これらの収納かご９、多連フック１０、フック１１は、金属や剛性を有する樹脂材等から構成されている。
【００２１】
直径が貫通孔６の直径と略一致する取付ピン８を使用する場合には、ピン側面に抜け防止用のローレット加工を施したり、ピン側面の一部をリング状に若干膨出させるようにしてもよい。
【００２２】
または、弾力性を有する樹脂材から成り、孔部を有する円筒状のスペーサを貫通孔６に嵌合させた後、この孔部に貫通孔６の直径より細い取付ピン８を挿入するようにして、又は予め取付ピン８に円筒状のスペーサを装着させ、これらを貫通孔６に挿入するようにして、側板５にフック等を係止することも可能である。
【００２３】
収納かご９等の取付ピン８を貫通孔６に挿入して取り付けることから、収納かご９等の取付位置を変更した場合においても、前述の螺子孔、テープ跡が生ずることはない。なお、取付ピン８の長さは、側板５の板厚と略一致するため、収納かご９、多連フック１０、フック１１を取り付けた場合でも、側板５の内側や外側にピン先端が突出することもない。
【００２４】
組立式収納家具１の収納部には、書籍や小物を収納することができると共に、側板５に取り付けた収納かご９、多連フック１０、フック１１に、テレビリモコン等の小物を収納したり、鍵、工具、折り畳み傘等の小物を吊り下げることができる。
【００２５】
この際にも、側板５に多数の貫通孔６が縦横格子状に穿けられていることから、収納かご９、多連フック１０、フック１１の取付位置を容易に、変更することできる。
【００２６】
また、収納かご９、多連フック１０に示すような２個所の取付ピン８を貫通孔６に挿入して固定するものでも、貫通孔６が縦横格子状に穿けられていることから、２個の取付ピン８により収納かご９、多連フック１０を傾くことなく水平に取り付けることができる。
【００２７】
また図１においては、側板５の外側に収納かご９、多連フック１０、フック１１を取り付ける場合を図示しているが、側板５の内側から収納かご９、多連フック１０、フック１１を取り付けてもよい。
【００２８】
また、組立式収納家具１の寸法及び貫通孔６の間隔は、あくまでも一例であり、用途等により適宜変更することができる。
【００２９】
図３は組立式収納家具１を連結した組立式収納家具システムの斜視図であり、図４は収納家具１間に棚板を配置して連結した組立式収納家具システムの斜視図である。
【００３０】
側板５に多数の貫通孔６を穿設することにより、組立式収納家具１の側面に別の組立式収納家具１を連結して組立式収納家具システムとすることが容易にできる。
【００３１】
なお、２つの組立式収納家具１を連結する際には、側板５同士を隣接させて、ボルトナット等の固定具１２によって固定する。図３においては、連結する際に側板５を重ねているが、１枚の側板５により連結することも可能である。この場合には、左右の棚板４の高さをずらすことで、中間に１枚の側板５を設けるだけで、連結されることができる。
【００３２】
また、図４に示すように２つの組立式収納家具１の間に、異なるサイズの収納家具２１を配置したり、棚板３１を配置した組立式収納家具システムにすることも可能である。収納家具２１は、組立式収納家具１よりも高さが低く、底板２２、天板２３、側板２４を有している。
【００３３】
棚板３１は組立式収納家具１の側板５の内側から外側に取付具７をねじ込むことで適宜の高さで固定することができる。棚に重量のあるものを収納する場合には、棚板３１に代えて、側板２４を有する収納家具２１を組立式収納家具１間に配置することが好ましい。組立式収納家具１の側板５と収納家具２１の側板２４とを固定具１２によって固定することで、底板２２、天板２３の強度が増すことになる。
【００３４】
収納家具２１の個数、棚板３１の枚数、及び組立式収納家具１間の幅、取付位置は任意に選択することができ、使用者の好みのデザインの収納家具とすることができる。
【００３５】
図１の組立式収納家具１と同様に、図３、図４の組立式収納家具システムの両側の側板５の取付具７を挿入した貫通孔６以外の貫通孔６に収納かご９、多連フック１０、フック１１を外側から簡便に着脱可能である。
【００３６】
図５は図１の全面に貫通孔６を設けた側板５の代りに、複数枚の板材から成る側板５’を採用した組立式収納家具１の斜視図である。なお、側板５’は内部が見えるように手前側の板材の一部を除去して図示している。
【００３７】
側板５’は外側の薄板材である外側板５ａと、内側の薄板材である内側板５ｂと、外側板５ａ及び内側板５ｂに挟まれるように配置する枠部５ｃとから構成されている。この枠部５ｃは左右の縦枠と、上下の横枠と、縦枠同士を渡す補強枠とから構成されている。
【００３８】
外側板５ａには縦横に所定間隔をおいて貫通孔６が格子状又は千鳥状に設けられており、内側板５ｂには棚板４を取り付け可能な高さに応じて、複数の棚用穴部５ｄを備えている。これらの棚用穴部５ｄは枠部５ｃのある位置に設けられ、枠部５ｃ内の所定の深さまで穿設されている。
【００３９】
棚用穴部５ｄに棚板４を載置するピン体を取り付けることで、棚板４を配置することが可能となる。また、棚用穴部５ｄに代えて、内側板５ｂの棚板４を取り付け可能な個所に、外側板５ａから内側板５ｂまで貫通するように貫通孔６を穿設するようにしてもよい。このような場合は、外側板５ａ側から貫通孔６に螺子等の取付具７を挿入して、内側板５ｂ側まで貫通させて棚板４を固定することになる。
【００４０】
外側板５ａの貫通孔６には、図示するように先端が鉤状とした取付ピン８’を有するフック１１等が引っ掛かるように係止可能であり、図１の側板５に比べ、側板５’は安価で軽量に製造することが可能である。
【００４１】
このように組立式収納家具１及び組立式収納家具システムは、全面に縦横に所定間隔をおいて貫通孔６が穿設された側板５を有することで、外側に収納かご９、多連フック１０、フック１１及び内側に棚板４を自由にかつ簡便に配置することができると共に、容易に組み立て及び組立式収納家具１同士を自由に連結することが可能である。
【符号の説明】
【００４２】
１、２１  組立式収納家具
２、２２  底板
３、２３  天板
４、３１  棚板
５、５’、２４  側板
５ａ  外側板
５ｂ  内側板
５ｃ  枠部
６  貫通孔
７  取付具
８、８’  取付ピン
９  収納かご
１０  多連フック
１１  フック
１２  固定具
【図１】
2018110790.tif 000003
【図２】
2018110790.tif 000004
【図３】
2018110790.tif 000005
【図４】
2018110790.tif 000006
【図５】
2018110790.tif 000007